(57)【特許請求の範囲】
【請求項１】
負荷装置の使用電力の上限を示すデマンド目標値を所定の時間帯ごとに入力する操作に応じて、前記時間帯ごとのデマンド目標値を設定するデマンド目標値設定部と、
前記使用電力が前記デマンド目標値を越えないようにするデマンド制御を行うこととした場合の負荷装置の運転計画が示されるデマンド制御運転計画を作成する運転計画作成部と、
前記デマンド制御運転計画に関連する所定の内容を表示させる表示制御部と、
自動運転が指定されている場合に、前記デマンド制御運転計画にしたがって前記負荷装置に対する運転制御を行い、自動運転が指定されていない場合に、手動操作によって作成された手動設定運転計画にしたがって前記負荷装置に対する運転制御を行い、前記デマンド制御運転計画にしたがった運転制御結果に基づく実績データと前記手動設定運転計画にしたがった運転制御結果に基づく実績データとを記憶部に記録する運転制御部と
を備えることを特徴とする電力ナビゲーション装置。
【請求項２】
前記表示制御部は、前記デマンド制御運転計画の内容を表示させることを特徴とする請求項１に記載の電力ナビゲーション装置。
【請求項３】
前記デマンド制御運転計画により負荷装置を運転させた場合の使用電力である制御対応使用電力を予測する電力予測部をさらに備え、
前記表示制御部は、前記制御対応使用電力を表示出力させる
ことを特徴とする請求項１または請求項２に記載の電力ナビゲーション装置。
【請求項４】
前記デマンド制御運転計画によるデマンド制御を行わない場合の使用電力である制御非対応使用電力を予測する電力予測部をさらに備え、
前記表示制御部は、前記制御非対応使用電力を表示させる
ことを特徴とする請求項１から請求項３のいずれか一項に記載の電力ナビゲーション装置。
【請求項５】
前記電力予測部は、買電電力についての前記制御非対応使用電力を予測するとともに、自然エネルギーを利用して発電する発電装置の発電電力を予測し、
前記表示制御部は、前記買電電力についての前記制御非対応使用電力と、制御非対応買電電力と前記発電電力を合計した制御非対応受電電力を表示させる
ことを特徴とする請求項４に記載の電力ナビゲーション装置。
【請求項６】
前記表示制御部は、現実に負荷装置を運転させたことによる使用電力である実績使用電力を表示させることを特徴とする請求項１から請求項５のいずれか一項に記載の電力ナビゲーション装置。
【請求項７】
前記表示制御部は、買電電力についての前記実績使用電力と、当該実績使用電力と自然エネルギーを利用して発電する発電装置の発電電力を合計した実績受電電力を表示させることを特徴とする請求項６に記載の電力ナビゲーション装置。
【発明の詳細な説明】
【技術分野】
【０００１】
本発明は、負荷装置の運転計画の作成を支援する電力ナビゲーション装置に関する。
【背景技術】
【０００２】
建物における設備を、省エネルギー、コストダウン、環境負荷（ＣＯ２排出量）などを考慮して効率的に運転することが求められている。そこで、以下のように空調設備の運転スケジュールのナビゲーションを行うシステムが提案されている。つまり、複数台の空調熱源機の運転優先順位の組合せパターンを設定したうえで、この組合せパターンごとにおける熱源機の許容運転スケジュールを設定する。次に、この組合せパターンごとにおける熱源機の許容運転スケジュールに基づいて建物負荷に応じて最適とされる熱源機運転台数制御シミュレーションを実行する。そして、このシミュレーション結果に基づいて、エネルギー消費量、ランニングコスト、ＣＯ２排出量を算出して評価しようというものである(例えば、特許文献１参照)。
【０００３】
また、例えば空調システムや照明装置等の負荷装置を備える施設等の需要家に対して電力会社が供給する電力をデマンドともいう。また、電力会社と需要家との間で使用電力の上限（デマンド目標値ともいう）を取り決めたうえで料金を設定する契約をデマンド契約という。電力会社とデマンド契約を結んだ需要家は、決定された契約電力を越えないように電気施設が使用する電力を制御する。このような電力の制御はデマンド制御ともいわれる。
【先行技術文献】
【特許文献】
【０００４】
【特許文献１】特開２０１１−２１１１号公報
【発明の概要】
【発明が解決しようとする課題】
【０００５】
近年においては、例えば発電施設の不具合などを想定して、さらなる省エネルギー化や環境負荷の軽減などが求められている状況にある。これに伴い、上記契約デマンドとは別に、例えば電力使用量を通常に対して一定率以下にまで抑制するという電力調整が電力会社や自治体などから要求される可能性がある。また、このような電力調整を企業が自主的に行うようにもなってきている。
【０００６】
上記の電力調整を行うとした場合、需要家における負荷装置の管理者は、デマンド目標値を決定したうえで、この決定されたデマンド目標値に応じたデマンド制御が行われるように負荷装置の運転計画を立案する必要がある。しかし、現在においては、需要家側でこのようなデマンド目標値と運転計画とを適切に決定するための有効な手法が定まっていない。
【０００７】
特許文献１においては負荷装置の運転スケジュールをシミュレーションにより作成してはいるが、上記のようなデマンド目標値を考慮して作成されたものではない。したがって、特許文献１により作成された運転スケジュールを参考にして管理者が適切なデマンド目標値と運転計画の決定を行うことは相当に難しい。
【０００８】
そこで本発明は、上記課題を考慮して、需要家側でデマンド目標値を決定し、このデマンド目標値に応じた運転計画を作成するにあたり、適切なデマンド目標値と運転計画を効率良く決定できる電力ナビゲーション装置を提供することを目的とする。
【課題を解決するための手段】
【０００９】
本発明は、上述の課題を解決すべくなされたもので、本発明の一態様としての電力ナビゲーション装置は、負荷装置の使用電力の上限を示すデマンド目標値を所定の時間帯ごとに入力する操作に応じて、前記時間帯ごとのデマンド目標値を設定するデマンド目標値設定部と、前記使用電力が前記デマンド目標値を越えないようにするデマンド制御を行うこととした場合の負荷装置の運転計画が示されるデマンド制御運転計画を作成する運転計画作成部と、前記デマンド制御運転計画に関連する所定の内容を表示させる表示制御部と、自動運転が指定されている場合に、前記デマンド制御運転計画にしたがって前記負荷装置に対する運転制御を行い、自動運転が指定されていない場合に、手動操作によって作成された手動設定運転計画にしたがって前記負荷装置に対する運転制御を行い、前記デマンド制御運転計画にしたがった運転制御結果に基づく実績データと前記手動設定運転計画にしたがった運転制御結果に基づく実績データとを記憶部に記録する運転制御部とを備える。
【００１０】
また、本発明は、上述の電力ナビゲーション装置において、前記表示制御部は、前記デマンド制御運転計画の内容を表示させることを特徴とする。
また、本発明は、上述の電力ナビゲーション装置において、前記デマンド制御運転計画により負荷装置を運転させた場合の使用電力である制御対応使用電力を予測する電力予測部をさらに備え、前記表示制御部は、前記制御対応使用電力を表示出力させることを特徴とする。
【００１１】
また、本発明は、上述の電力ナビゲーション装置において、前記デマンド制御運転計画によるデマンド制御を行わない場合の使用電力である制御非対応使用電力を予測する電力予測部をさらに備え、前記表示制御部は、前記制御非対応使用電力を表示させることを特徴とする。
【００１２】
また、本発明は、上述の電力ナビゲーション装置において、前記電力予測部は、買電電力についての前記制御非対応使用電力を予測するとともに、自然エネルギーを利用して発電する発電装置の発電電力を予測し、前記表示制御部は、前記買電電力についての前記制御非対応使用電力と、制御非対応買電電力と前記発電電力を合計した制御非対応受電電力を表示させることを特徴とする。
また、本発明は、上述の電力ナビゲーション装置において、前記表示制御部は、現実に負荷装置を運転させたことによる使用電力である実績使用電力を表示させることを特徴とする。
【００１３】
また、本発明は、上述の電力ナビゲーション装置において、前記表示制御部は、買電電力についての前記実績使用電力と、当該実績使用電力と自然エネルギーを利用して発電する発電装置の発電電力を合計した実績受電電力を表示させることを特徴とする。
【発明の効果】
【００１４】
本発明によれば、需要家側でデマンド目標値を決定し、このデマンド目標値に応じた運転計画を作成するにあたり、適切なデマンド目標値と運転計画を効率良く決定できるという効果が得られる。
【図面の簡単な説明】
【００１５】
【図１】本発明の実施形態における電力ナビゲーション装置を含む設備の構成例を示す図である。
【図２】本実施形態における運転計画作成装置の構成例を示す図である。
【図３】本実施形態におけるデマンド目標値入力画面の一例を示す図である。
【図４】本実施形態における運転計画画面の一例を示す図である。
【図５】本実施形態における運転計画画面の一例を示す図である。
【図６】本実施形態における運転実績画面の一例を示す図である。
【図７】本実施形態における運転実績画面の一例を示す図である。
【図８】本実施形態におけるデマンド制御非対応の予測電力画面の一例を示す図である。
【図９】本実施形態におけるデマンド制御対応の予測電力画面の一例を示す図である。
【図１０】本実施形態における実績電力画面の一例を示す図である。
【図１１】本実施形態における運転計画作成装置がデマンド制御運転計画の作成に対応して実行する処理手順例を示す図である。
【図１２】本実施形態における運転計画作成装置が運転制御のために実行する処理手順例を示す図である。
【発明を実施するための形態】
【００１６】
図１は、本実施形態における電力ナビゲーション装置（運転計画作成装置）を備える設備の構成例を示している。この図に示す設備は、建物１において、第１設備グループ１００−１から第Ｎ設備グループ１００−ＮまでのＮ組の設備グループと運転計画作成装置２００と太陽光発電３００を備える。
【００１７】
第１設備グループ１００−１から第Ｎ設備グループ１００−Ｎは、建物１における所定のエリアごとに応じて区分される設備群である。なお、以降の説明において第１設備グループ１００−１から第Ｎ設備グループ１００−Ｎについて特に区別しない場合には、設備グループ１００と記載する。
【００１８】
第１設備グループ１００−１は、６つの空調機１１１−１から１１１−６を備える。また、第２設備グループ１００−２は、４つの空調機１１１−７から１１１−１０を備える。そして、第Ｎ設備グループ１００−Ｎは、６つの空調機１１１−（Ｎ−５）から１１１−Ｎを備える。つまり、第１設備グループ１００−１から第Ｎ設備グループ１００−Ｎは、それぞれ、１以上の空調機１１１を備える。
【００１９】
これらの空調機１１１は、本実施形態の設備における負荷装置である。空調機１１１の各々は、商用交流電源２と太陽光発電３００から供給される電力を入力して動作する。
【００２０】
なお、負荷装置の種別としては空調機のみに限定される必要はなく例えば照明機器、ポンプ、送風機、温水機なども含めることができるが、ここでは説明の便宜上、空調機のみとしている。また、上記空調機１１１は、それぞれが異なる機種などとされてかまわない。
【００２１】
運転計画作成装置２００は、設備の管理者が入力したデマンド目標値に基づいて空調機１１１についてのデマンド制御運転計画を作成する。デマンド制御運転計画は、入力電力が上記デマンド目標値を越えることがないように所定の空調機１１１の運転を停止させるデマンド制御の実行を含めた運転計画である。
【００２２】
また、運転計画作成装置２００は、上記のように作成された運転計画に関連した所定の情報の表示を行う。例えば、運転計画作成装置２００は、デマンド制御運転計画を表示する。また、デマンド制御を行う場合と行わない場合のそれぞれにおいて予測される使用電力を視覚的に把握可能なように表示する。また、空調機１１１についての運転結果やこの運転結果における使用電力などの運転実績を表示する。
【００２３】
また、運転計画作成装置２００は、管理者の操作によって「自動運転」が指定されている場合には、デマンド制御運転計画にしたがって各設備グループ１００における空調機１１１を運転させる。このために、運転計画作成装置２００と空調機１１１の各々は例えばデータインターフェースやネットワークなどにより通信が可能なように接続される。なお、運転計画作成装置２００は、例えばコンピュータ装置に運転計画作成装置の機能を実現するためのプログラムを実行させることにより実現することができる。
【００２４】
太陽光発電３００は、自然エネルギーを利用して発電する発電装置であり、例えば、入射される太陽光から電力を生成する発電装置である。この太陽光発電３００にて生成された電力は空調機１１１に対して供給される。
【００２５】
図２は、運転計画作成装置２００の構成例を示している。運転計画作成装置２００は、デマンド目標値設定部２０１、電力予測部２０２、運転計画作成部２０３、表示制御部２０４、運転制御部２０５、記憶部２０６、操作部２０７、表示部２０８、ネットワーク通信部２０９およびデータインターフェース２１０を備える。
【００２６】
デマンド目標値設定部２０１は、デマンド目標値を所定の時間帯（例えば１時間）ごとに対応させて入力する操作に応じて上記時間帯ごとのデマンド目標値を設定する。本実施形態におけるデマンド目標値は、設備全体において許容される買電電力からの消費電力の上限を示す値である。また、本実施形態におけるデマンド目標値は、例えば電力会社と需要家との間で取り決められる契約デマンドにおけるデマンド目標値とは異なり、需要家側で任意に決定することのできるものである。そのうえで、契約デマンドにおけるデマンド目標値が時間帯に関係なく一律に決定されるものであるのに対して、本実施形態におけるデマンド目標値は上記のように時間帯ごとに需要家側で任意に決定することができる。
【００２７】
デマンド目標値設定部２０１は、デマンド目標値の入力操作に応じてデマンド制御のためのデマンド目標値を設定する。このために、デマンド目標値設定部２０１は、操作により入力されたデマンド目標値をデマンド目標値データ２６１として生成し、記憶部２０６に記憶させる。このデマンド目標値データ２６１は、操作により入力されたデマンド目標値を時間帯ごとに対応付けて格納した構造を有する。
【００２８】
電力予測部２０２は、所定状態での時間帯ごとにおける負荷装置の使用電力（買電電力）を予測する。例えば、電力予測部２０２は、デマンド制御の実行を伴わない運転計画にしたがって空調機１１１を運転した場合の使用電力（制御非対応使用電力）を予測する。また、電力予測部２０２は、デマンド制御を伴う運転計画（デマンド制御運転計画）にしたがって空調機１１１を運転した場合の使用電力（制御対応使用電力）についても予測する。
【００２９】
運転計画作成部２０３は、上記のように予測された制御非対応使用電力（買電電力）が前記デマンド目標値設定部２０１により設定されたデマンド目標値を越えないようにするデマンド制御を行うこととした場合の負荷装置の計画が示されるデマンド制御運転計画を作成する。
【００３０】
表示制御部２０４は、上記のように作成されたデマンド制御運転計画を表示部２０８に表示させる。また、電力予測部２０２により予測されたデマンド制御非対応予測電力やデマンド制御対応予測電力を表示させる。さらに、運転制御部２０５により現実に空調機１１１を運転させたことによる消費電力（実績使用電力）を表示させる。なお、これらの運転計画および電力の表示態様例については後述する。
【００３１】
運転制御部２０５は、各設備グループ１００における空調機１１１に対する運転制御を実行する。本実施形態において、運転制御部２０５は、自動運転と手動運転とに対応した運転制御を実行する。つまり、運転計画作成装置２００は、操作部２０７に対して行われる所定操作に応じて、自動運転と手動運転のいずれかを設定するようにされている。そして、自動運転が設定されている場合、運転制御部２０５は、運転計画作成部２０３が作成したデマンド制御運転計画にしたがって運転制御を実行する。また、手動運転が設定されている場合、運転制御部２０５は、管理者が操作部２０７に対する操作により設定した運転計画にしたがって運転制御を実行する。
【００３２】
記憶部２０６は、デマンド制御運転計画作成のために必要とされる各種のデータを記憶する。ここでは、記憶部２０６が記憶するデータのうち、運転計画作成部２０３が利用するデータとして、デマンド目標値データ２６１、気象予報データ２６２、実績データ２６３、機器データ２６４、運転計画データ２６５、デマンド制御運転計画データ２６６および制御可否データ２６７が示されている。
【００３３】
デマンド目標値データ２６１は、前述のようにデマンド目標値設定部２０１がデマンド目標値設定のために生成したデータであり、操作により入力された時間帯ごとのデマンド目標値の情報から成る。
【００３４】
気象予報データ２６２は、ネットワーク３を経由して気象予報サーバ(図示せず)から取得した気象予報情報から成るデータである。この気象予報データ２６２には、予報日ごとにおける時間帯ごとの天候、気温、湿度などの情報が含まれる。
【００３５】
実績データ２６３は、過去における空調機１１１の運転制御内容やこれに伴う使用電力などの運転実績が示されるデータである。
【００３６】
機器データ２６４は、本実施形態における負荷装置である空調機１１１ごとについての定格電力や空調性能などの仕様に関する情報を格納するデータである。
【００３７】
運転計画データ２６５は、デマンド制御を考慮することなく作成された基本的な運転計画を示すデータである。この運転計画データ２６５は、例えば運転計画作成装置２００が上記気象予報データ２６２、実績データ２６３、および機器データ２６４などを利用して所定のアルゴリズムによって作成される。または、この運転計画データ２６５は、管理者が手動操作により作成したものであってもよい。
【００３８】
デマンド制御運転計画データ２６６は、運転計画作成部２０３が作成したデマンド制御運転計画の内容が示されるデータである。
【００３９】
制御可否データ２６７は、運転計画作成部２０３が作成したデマンド制御運転計画にしたがった運転制御「自動運転」を実行させるか否かを示すデータである。この制御可否データ２６７の内容は、管理者が操作部２０７に対して行う所定操作に応じて設定される。
【００４０】
操作部２０７は、例えばキーボードやマウスなど、各種の操作デバイスを一括して示したものである。上記操作デバイスに対して操作が行われるのに応じて、操作部２０７は操作信号を出力する。この操作信号に応じて、図２に示される所定の機能部がしかるべき動作を実行する。
【００４１】
表示部２０８は、例えば液晶ディスプレイなどの所定のディスプレイデバイスを備え、表示制御部２０４の制御に応じて画像を表示する。
【００４２】
ネットワーク通信部２０９は、ネットワーク３経由で通信を実行する部位である。このネットワーク通信部２０９により、前述のようにネットワーク３上に存在する気象予報サーバにアクセスして気象予報データ２６２をダウンロードすることが可能となる。
【００４３】
データインターフェース２１０は、所定のデータインターフェース規格にしたがって外部端末と通信を実行する。本実施形態においては、このデータインターフェース２１０を介して、各設備グループ１００における空調機１１１と通信を実行するようにされている。これにより、運転計画作成装置２００の空調機１１１に対する運転制御が可能となる。
【００４４】
図３は、デマンド目標値設定部２０１が表示部２０８に表示させるデマンド目標値入力画面４００の例を示している。この図に示すデマンド目標値入力画面４００における１行は、項目領域４０１と合計電力量領域４０２と時刻領域４０３が左から右にかけて配列されてなる。
【００４５】
項目領域４０１における１行目は「過去実績（前日）」と表示されていることで、過去の運転実績として、前日の運転実績が表示されていることを示している。この１行目における合計電力量領域４０２には、前日における２４時間の運転による消費電力量の合計が示されている。
【００４６】
また、時刻領域４０３には、２４時間を１時間ごとに区分した時間帯（「００：００」から「２３：００」）が示されている。そのうえで、「過去実績（前日）」に対応する時刻領域４０３においては、「００：００」から「２３：００」までに対応する時間帯ごとに、前日における運転による消費電力量の数値が示されている。これらの２４個の時間帯ごとの消費電力量の合計値が上記合計電力量領域４０２の１行目において示される数値と一致する。
【００４７】
また、項目領域４０１における２行目は「目標値（買電電力量）」と表示されていることで、当該行がデマンド目標値を入力するため操作を行うべき行であることが示される。そして、この２行目における時刻領域４０３においては、「００：００」から「２３：００」までに対応する時間帯ごとに、目標値入力ボックス４３１が配置される。
【００４８】
なお、この図に示されている目標値入力ボックス４３１の数値は初期表示に対応する。つまり、ここでは、デマンド目標値入力画面４００が初期表示された段階では、過去実績における時間帯ごとの消費電力量と同じ数値が各目標値入力ボックス４３１に設定されているものである。
【００４９】
そして、管理者は、所定操作によって、上記目標値入力ボックス４３１に対して任意の数値を入力することができる。このように、本実施形態の運転計画作成装置２００は、１時間区切りの時間帯ごとにデマンド目標値を入力する操作を行うことが可能とされている。そして、デマンド目標値設定部２０１は、上記のように時間帯ごとの目標値入力ボックス４３１に入力された電力の数値をデマンド目標値データ２６１として生成し、記憶部２０６に記憶させる。
【００５０】
運転計画作成部２０３は、上記デマンド目標値データ２６１を利用してデマンド制御運転計画を作成する。具体的に、運転計画作成部２０３は、電力予測部２０２が予測したデマンド制御非対応予測電力と、デマンド目標値データ２６１が示すデマンド目標値とを時間帯ごとに比較する。デマンド制御非対応予測電力は、デマンド制御を行わない場合の運転計画（つまり、運転計画データ２６５）にしたがって空調機１１１を運転した場合の電力を予測したものである。
【００５１】
そして、運転計画作成部２０３は、デマンド制御非対応予測電力がデマンド目標値を越える時間帯において、買電電力がデマンド目標値以下となるように所定の空調機１１１を停止させた運転計画を作成する。このようにデマンド目標値を越えないように負荷装置（空調機１１１）を停止させることをデマンド制御といい、上記のようにデマンド制御による負荷装置の停止計画を含む運転計画作がデマンド制御運転計画である。
【００５２】
また、運転計画作成部２０３は、実績データ２６３を利用して学習を行うようにされている。これにより、例えば実績データ２６３として蓄積される過去の運転についての実績の情報量が増加するのに応じて、運転計画作成部２０３により作成されるデマンド制御運転計画の精度を高くしていくことができる。
【００５３】
本実施形態では、デマンド制御における空調機１１１の運転と停止については設備グループ１００単位で設定するものとする。ただし、例えば居住者の快適性などを考慮し、設備グループ１００におけるすべての空調機１１１を一斉に停止させるのではなく、そのうちの一部の空調機１１１を停止させる。そのうえで、例えば単位時間（例えば２０分から３０分程度）ごとに、その設備グループ１００において停止させるべき空調機１１１をローテーションさせる。一例として、図１の第２設備グループ１００−２において１つの空調機１１１を停止させるようにデマンド制御を行うこととした場合、上記の単位時間ごとに、例えば空調機１１１−７、１１１−８、１１１−９、１１１−１０の間で所定順にしたがって順次停止させ、残りについては運転させるというものである。これにより、１つの設備グループ１００において空調が効かないエリアを時間的に分散することができ、室内の快適性を保つことができる。
【００５４】
また、本実施形態のデマンド制御において停止させるべき空調機１１１については以下のように選択する。つまり、予めデマンド制御のための運転停止に関する優先順位を空調機１１１ごとに設定しておく。そして、デマンド制御により空調機１１１を停止させるべき時間帯において、買電電力からの消費電力がデマンド目標値以下となるまで、優先順位が高い方の空調機１１１から停止すべきと設定する。
【００５５】
そして、表示制御部２０４は、上記のように作成されたデマンド制御運転計画を、運転計画画面として表示部２０８に表示させる。
【００５６】
図４および図５は、表示部２０８に表示される運転計画画面５００の一例を示している。図４と図５により１つの運転計画画面５００を示しており、図４は運転計画画面５００の左側部分を示し、図５は、図４の運転計画画面５００に続く右側部分を示す。
【００５７】
運転計画画面５００における１つの行は、１つの設備グループに対応して、ＩＤ領域５０１、設備グループ名称領域５０２、制御可否指示領域５０３、ローテーション可否指示領域５０４、時刻領域５０５から成る。
【００５８】
ＩＤ領域５０１は、対応の設備グループ１００を一意に特定する設備グループ識別子としての数値を示す。設備グループ名称領域５０２は、対応の設備グループ１００の名称を示す。
【００５９】
制御可否指示領域５０３は、対応の設備グループ１００内の空調機１１１についてデマンド制御による停止が許可されているか否かを、例えば図のように「する」、「しない」の各文言により示す。なお、この制御可否指示領域５０３における内容は、予めの管理者の操作によって設定された結果が反映されている。
【００６０】
ローテーション可否指示領域５０４は、対応の設備グループ１００内の空調機１１１をデマンド制御により停止させるにあたり、前述のローテーションを行うように設定されているか否かを「する」、「しない」の各文言により示す。なお、ローテーションを行うべきか否については、管理者の操作によって変更設定可能とされている。
【００６１】
時刻領域５０５には、２４時間を３０分ごとに区分した時間帯（００：００から２３：００）が示されている。そして、この時刻領域５０５においては、対応の設備グループ１００ごとのデマンド制御運転計画が示される。つまり、デマンド制御運転計画のもとで決定された、対応の設備グループ１００内の空調機１１１の制御内容が時間帯ごとに示される。ここでの制御内容は、「運転」、「停止」、「デマンド制御対象」のいずれかとなる。
【００６２】
上記制御内容のうち、「運転」は、対応の設備グループ１００における空調機１１１をすべて運転させる制御である。「停止」は、対応の設備グループ１００における空調機１１１をすべて停止させる制御である。
【００６３】
「デマンド制御対象」は、以下の制御内容をいう。つまり、その時間帯における買電電力がデマンド目標値を越えなければ、対応の設備グループ１００における空調機１１１をすべて運転させる。しかし、デマンド目標値を越えたときには、予めの設定にしたがって対応の設備グループ１００における所定の空調機１１１を停止させるというものである。
【００６４】
なお、設備グループ１００の数が多いために、１画面分の運転計画画面５００によってはすべての設備グループ１００の情報を表示できない場合には、例えばスクロールやページ送りによって、次の設備グループ１００の情報を表示させるようにすればよい。
【００６５】
また、表示制御部２０４は、実績データ２６３を利用して、過去における１日分の運転実績を、運転実績画面として表示させる。図６および図７は、運転実績画面６００の表示態様例を示している。この場合にも、図４および図５と同様に、図６および図７により１つの運転実績画面６００を示しており、図６は運転実績画面６００の左側部分を示し、図７は、図６の運転実績画面６００に続く右側部分を示す。
【００６６】
運転実績画面６００における１つの行は、１つの設備グループに対応して、ＩＤ領域６０１、設備グループ名称領域６０２、制御可否指示領域６０３、ローテーション可否指示領域６０４および時刻領域６０５から成る。これらの各領域については、図５および図６におけるＩＤ領域５０１、設備グループ名称領域５０２、制御可否指示領域５０３、ローテーション可否指示領域５０４および時刻領域５０５と同様である。
【００６７】
ただし、運転実績画面６００における時刻領域５０５には、過去の或る１日において現実に運転を行った際の制御結果が示される。ここでの制御結果は、「運転」、「停止」、「デマンド制御対応停止」のいずれかとなる。
【００６８】
「運転」と「停止」については、図５および図６に示した運転計画画面５００の場合と同様である。「デマンド制御対応停止」は、その時間帯において買電電力がデマンド目標値を越えたことに応じてデマンド制御が行われたために、対応の設備グループ１００における所定の空調機１１１が停止されたことを示す。
【００６９】
また、表示制御部２０４は、図８に示す予測電力画面７００Ａを表示する。この予測電力画面７００Ａは、横軸が時刻とされ、縦軸が電力とされたうえで、図示するように、デマンド目標値７０１、制御非対応買電電力７０２および制御非対応受電電力７０３のそれぞれがグラフとして示される。
【００７０】
デマンド目標値７０１は、デマンド目標値設定部２０１により設定されたデマンド目標値、つまり、デマンド目標値データ２６１の内容を示している。
【００７１】
制御非対応買電電力７０２は、運転計画データ２６５により運転した場合、つまりデマンド制御を行うことなく空調機１１１を運転した場合に予測される買電電力を示している。管理者は、このように表示されるデマンド目標値データ２６１と制御非対応買電電力７０２とを比較することにより、例えばどの時間帯において買電電力が目標値を超えており、また、どの程度越えているのかなどを視覚的に把握できる。
【００７２】
制御非対応受電電力７０３は、デマンド制御を行うことなく空調機１１１を運転した場合の空調機１１１全体での受電電力を示す。この制御非対応受電電力７０３は、制御非対応買電電力７０２と太陽光発電３００により発電される電力の予測値とを合計したものとなる。したがって、予測電力画面７００Ａにおける制御非対応買電電力７０２と制御非対応受電電力７０３の差分は、時刻ごとにおいて予測される太陽光発電３００の発電電力を示していることになる。つまり、制御非対応受電電力７０３を表示することにより、これを見た管理者は、太陽光発電３００の発電電力がどの程度利用可能であるのかも知ることができる。
【００７３】
この図８に示されるデマンド目標値７０１は一律ではなく、時間帯に対して変化している。これは、本実施形態において設定されるデマンド目標値が時間帯ごとに任意に設定可能であることを示している。
【００７４】
そのうえで、この図８の場合、制御非対応買電電力７０２は、１０：００から１２：００頃の期間と、１４：００頃から１７：００頃の期間においてデマンド目標値７０１を越えている。したがって、この場合の運転計画作成部２０３は、上記のように制御非対応買電電力７０２がデマンド目標値７０１を越える期間においてデマンド制御が行われるようにされたデマンド制御運転計画を作成する。つまり、運転計画作成部２０３は、制御非対応買電電力７０２がデマンド目標値７０１を越える期間において、買電電力がデマンド目標値７０１以下となるようにしかるべき空調機１１１を停止させるように運転制御の内容を決定する。
【００７５】
そして、表示制御部２０４は、図９に示すデマンド制御対応の予測電力画面７００Ｂを表示する。この予測電力画面７００Ｂにおいては、横軸が時刻とされ、縦軸が電力とされたうえで、デマンド目標値７０１と制御対応買電電力７０４のそれぞれがグラフとして示される。
【００７６】
制御対応買電電力７０４は、運転計画作成部２０３が作成したデマンド制御運転計画により空調機１１１を運転させた場合に予測される買電電力を示す。この図に示されるように、制御対応買電電力７０４は、そのピークがデマンド目標値７０１以下となるように抑制されている。つまり、制御対応買電電力７０４は、デマンド制御を行ったとする場合の買電電力を示しているものである。
【００７７】
また、表示制御部２０４は、実績データ２６３を利用して、例えば図１０に示すように、建物全体での運転実績を示す実績電力画面７００Ｃを表示する。この実績電力画面７００Ｃにおいては、横軸が時刻とされ、縦軸が電力とされたうえで、デマンド目標値７０１と実績買電電力７０５および実績受電電力７０６のそれぞれがグラフとして示される。
【００７８】
実績買電電力７０５は、空調機１１１を運転させた結果に対応した買電電力が示される。実績受電電力７０６は、空調機１１１を運転させた結果に対応した空調機１１１全体の受電電力を示す。この実績受電電力７０６は、同じ時間帯における実績買電電力７０５と太陽光発電３００により発電された発電量とを合計したものとなる。したがって、実績電力画面７００Ｃにおける実績買電電力７０５と実績受電電力７０６の差分は、時刻ごとにおいて過去において現実に太陽光発電３００にて発電され、建物全体が利用した電力を示していることになる。
【００７９】
なお、上記予測電力画面７００Ａ、７００Ｂおよび実績電力画面７００Ｃは、１つの同じ画面領域において同時に表示させることとしてもよい。１つの画面に表示させれば、デマンド目標値７０１、制御非対応買電電力７０２、制御非対応受電電力７０３、制御対応買電電力７０４、実績買電電力７０５および実績受電電力７０６を総合的に比較することができる。
【００８０】
また、上記予測電力画面７００Ａ、７００Ｂおよび実績電力画面７００Ｃとともに、先に図４から図７に示した運転計画画面５００と運転実績画面６００を所定のレイアウトにより１つの画面において同時に表示させることとしてもよい。
【００８１】
管理者は、上記図４から図１０のように表示させた画面（ナビゲーション画面）を見ることにより、手動により運転計画を組み立てるにあたっての参考とすることができる。また、例えば管理者が運転計画画面５００に表示されているとおりのデマンド制御運転計画でよいと判断したのであれば、管理者は、操作部２０７に対する所定操作によって自動運転を設定する。これにより、運転計画作成装置２００における運転制御部２０５は、運転計画作成部２０３により作成されたデマンド制御運転計画にしたがって運転制御を実行する。つまり、デマンド制御運転計画にしたがった自動運転が行われる。
【００８２】
図１１は、運転計画作成装置２００がデマンド制御運転計画の作成に対応して実行する処理手順例を示している。この図に示す処理は、運転計画作成装置２００におけるデマンド目標値設定部２０１、電力予測部２０２、運転計画作成部２０３および表示制御部２０４のいずれかが適宜実行するものとしてみることができる。
【００８３】
例えばデマンド目標値入力画面４００を表示させるための操作が行われるのに応じて、デマンド目標値設定部２０１は、デマンド目標値入力画面４００を表示部２０８に表示させる（ステップＳ１０１）。そして、デマンド目標値設定部２０１は、デマンド目標値入力画面４００に対するデマンド目標値の入力操作に応じてデマンド目標値を設定する（ステップＳ１０２）。つまり、デマンド目標値設定部２０１は、デマンド目標値データ２６１を生成して記憶部２０６に記憶させる。これにより、デマンド目標値が設定されたことになる。
【００８４】
この後、例えば運転計画作成を指示する操作が行われるのに応じて、電力予測部２０２は、記憶部２０６に記憶される運転計画データ２６５に基づいて制御非対応買電電力を予測する（ステップＳ１０３）。
【００８５】
次に、運転計画作成部２０３は、デマンド制御運転計画を作成する（ステップＳ１０４）。この際、運転計画作成部２０３は、デマンド目標値データ２６１が示すデマンド目標値を上記ステップＳ１０３にて予測された制御非対応買電電力が越えている時間帯において、デマンド制御によって停止すべき空調機１１１を決定するものである。また、運転計画作成部２０３は、実績データ２６３を利用した学習機能によって、デマンド制御運転計画を修正することも行う。
【００８６】
上記のようにデマンド制御運転計画が作成されるのに応じて、電力予測部２０２は、制御対応買電電力を予測する（ステップＳ１０５）。制御対応買電電力は、前述のように、デマンド制御運転計画にしたがって運転を行ったとする場合における買電電力であり、例えば、図９に示した予測電力画面７００Ｂの制御対応買電電力７０４のグラフを表示するのに利用される。
【００８７】
また、表示制御部２０４は、例えばナビゲーション画面の表示を指示する操作が行われるのに応じて、運転計画画面５００、運転実績画面６００、予測電力画面７００Ａ、７００Ｂおよび実績電力画面７００Ｃを表示させるための制御を実行する（ステップＳ１０６）。
【００８８】
図１２のフローチャートは、運転計画作成装置２００が運転制御のために実行する処理手順例を示している。運転計画作成装置２００において、運転制御部２０５は、記憶部２０６に記憶される制御可否データ２６７を参照して「自動運転」が設定されているか否かについて判定する（ステップＳ２０１）。
【００８９】
「自動運転」が設定されていると判定した場合（ステップＳ２０１−ＹＥＳ）、運転制御部２０５は、運転計画作成部２０３が作成したデマンド制御運転計画にしたがって空調機１１１に対する運転制御を実行する（ステップＳ２０２）。
【００９０】
これに対して、「自動運転」が設定されていないと判定した場合（ステップＳ２０１−ＮＯ）、運転制御部２０５は、管理者の手動操作によって作成された運転計画（手動設定運転計画）にしたがって空調機１１１に対する運転制御を実行する（ステップＳ２０３）。
【００９１】
また、運転制御部２０５は、上記のようにデマンド制御運転計画または手動設定運転計画にしたがって運転制御を実行しながら、以下の処理を実行する。つまり、運転制御部２０５は、運転制御結果に基づいて、所定の単位時間ごとに対応する運転結果とこれに伴う使用電力などの情報から成る実績データ２６３を生成し、記憶部２０６における実績データ２６３に追加登録するように記録する（ステップＳ２０４）。
【００９２】
なお、上記実施形態においては、使用電力として、買電電力がデマンド目標値を超えないようにデマンド制御を行うこととしている。しかし、例えば太陽光発電３００などによる発電電力と上記買電電力とを合わせた受電電力を使用電力として扱い、この受電電力がデマンド目標値を越えることがないようにデマンド制御を行うようにしてもよい。
【００９３】
上述した実施形態によれば、過去の電力の実績を表示し、これに対してデマンド値の入力を時間毎に受け付け、この入力に従って運転スケジュールを決定し表示することができる。従って、管理者に対し、デマンド値等の検討や立案をする支援をすることができ、従来に比べて運転計画を適切に決定することが可能となる。
【００９４】
また、図２における各部の機能を実現するためのプログラムをコンピュータ読み取り可能な記録媒体に記録して、この記録媒体に記録されたプログラムをコンピュータシステムに読み込ませ、実行させることとしてもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００９５】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００９６】
１  建物
２  商用交流電源
３  ネットワーク
１００  設備グループ
１１１  空調機
２００  運転計画作成装置（電力ナビゲーション装置）
２０１  デマンド目標値設定部
２０２  電力予測部
２０３  運転計画作成部
２０４  表示制御部
２０５  運転制御部
２０６  記憶部
２０７  操作部
２０８  表示部
２０９  ネットワーク通信部
２１０  データインターフェース
３００  太陽光発電
４００  デマンド目標値入力画面
５００  運転計画画面
６００  運転実績画面
７００Ａ  予測電力画面
７００Ｂ  予測電力画面
７００Ｃ  実績電力画面
【図１】
0005794531.tif 000002
【図２】
0005794531.tif 000003
【図３】
0005794531.tif 000004
【図４】
0005794531.tif 000005
【図５】
0005794531.tif 000006
【図６】
0005794531.tif 000007
【図７】
0005794531.tif 000008
【図８】
0005794531.tif 000009
【図９】
0005794531.tif 000010
【図１０】
0005794531.tif 000011
【図１１】
0005794531.tif 000012
【図１２】
0005794531.tif 000013